(57)【要約】【課題】ＣＲＴ等の映像モニタに出力する映像信号を調整するためのパラメータを、機種毎に容易に微調整でき、再調整も簡単にできるようにする。【解決手段】固有の映像信号を、パラメータを調整して標準映像信号に変換する映像変換装置１０において、端末制御装置１から入力された固有の映像信号を標準映像信号に変換するために各機能部１１〜１４により調整した調整パラメータを、不揮発性メモリ１６に記憶可能とし、且つ前記不揮発性メモリ１６に記憶された調整パラメータを、外部端末３に取込み可能とすると共に、取り込んだ調整パラメータを該外部端末３から設定可能とした。【選択図】図１
2005284173.tif 000002
【特許請求の範囲】
【請求項１】
固有の映像信号を、パラメータを調整して標準映像信号に変換する映像変換装置において、
入力された映像信号を標準映像信号に変換するために調整した調整パラメータを、不揮発性メモリに記憶可能とし、
且つ、前記不揮発性メモリに記憶された調整パラメータを、外部端末に取込み可能とすると共に、取り込んだ調整パラメータを該外部端末から設定可能としたことを特徴とする映像変換装置。
【請求項２】
前記調整パラメータに、機種毎の水平同期周波数、水平方向ドット数、電圧調整値、画面作画位置及び入力信号形態の少なくとも１つが含まれ、該当するパラメータを調整する調整手段を備えていることを特徴とする請求項１に記載の映像変換装置。
【発明の詳細な説明】
【技術分野】
【０００１】
本発明は、映像変換装置に係り、特にＣＲＴ等の映像モニタのマルチアップスキャンコンバータを設定する際に適用して好適な映像変換装置に関する。
【背景技術】
【０００２】
アップスキャンコンバータは、機種が古くて水平同期周波数が低周波の装置を現在市販されている高周波数のＣＲＴに接続するために、周波数を変換する際に使用される。この場合、一般的なアップスキャンコンバータの使用目的は、放送用の動画をモニタする用途であり、同期が一部ずれたとしても問題は無かった。又、対応しなければならない機種も放送局ではそれほど多くなかった。
【０００３】
例えば、従来のアップスキャンコンバータでは、水平同期周波数１５ＫＨｚを３１ＫＨｚに倍スキャンする特定の機種のみの調整に対応することが多かった。又、放送局用として使用される高価なアップスキャンコンバータには、幅広い水平同期周波数への対応が可能なものも存在するが、元々が動画用であるため多少の同期ずれがあったとしても気にならないため、細かな調整は不要であった。
【０００４】
なお、例えば、特許文献１には、画像表示機器の波形調整を自動的に行なう技術が開示されている。
【０００５】
【特許文献１】特開２００２−７７９５７号公報
【発明の開示】
【発明が解決しようとする課題】
【０００６】
しかしながら、工場の操業監視に用いられるような旧式計算機用のＣＲＴは、固定画面表示が主であるため、少しの同期ずれでも操業運転者の目の負担となる。そのため、微細な調整が必要であり、調整には手間がかかり、その上、工場停止による電源停止後の復旧時には再度調整が必要であるという問題があった。
【０００７】
本発明は、前記従来の問題点を解決するべくなされたもので、ＣＲＴ等の映像モニタに出力する映像信号を調整するためのパラメータを、機種毎に容易に微調整することができると共に、復旧時等の再調整も簡単に行うことができる映像変換装置を提供することを課題とする。
【課題を解決するための手段】
【０００８】
本発明は、固有の映像信号を、パラメータを調整して標準映像信号に変換する映像変換装置において、入力された映像信号を標準映像信号に変換するために調整した調整パラメータを、不揮発性メモリに記憶可能とし、且つ、前記不揮発性メモリに記憶された調整パラメータを、外部端末に取込み可能とすると共に、取り込んだ調整パラメータを該外部端末から設定可能としたことにより、前記課題を解決したものである。
【０００９】
本発明は、又、前記調整パラメータに、機種毎の水平同期周波数、水平方向ドット数、電圧調整値、画面作画位置及び入力信号形態の少なくとも１つが含まれ、該当するパラメータの調整手段を備えるようにしたものである。
【発明の効果】
【００１０】
本発明によれば、ＣＲＴ等の映像モニタに出力する映像信号を調整するためのパラメータを、機種毎に容易に微調整することができると共に、復旧時等の再調整も簡単に行うことができる。
【発明を実施するための最良の形態】
【００１１】
以下、図面を参照して、本発明の実施の形態について詳細に説明する。
【００１２】
図１に示す本実施形態のマルチアップスキャンコンバータ（映像変換装置）１０は、端末制御装置１から入力される機種特有の固有映像信号を、パラメータ調整手段により、汎用（標準）映像信号に変換し、汎用ＣＲＴ２に出力してモニタ表示可能になっている。
【００１３】
このマルチコンバータ１０には、前記パラメータ調整手段として、信号形態変換機能部１１、入力電圧調整回路１２、水平同期周波数変換処理部１３及び出力回路１４からなる各機能部が設けられている。
【００１４】
そして、このマルチスキャンコンバータ１０では、端末制御装置１からの固有映像信号に対して、前記各機能部１１〜１４により、（１）信号形態変換、（２）入力映像信号電圧調整、（３）水平同期周波数変換、及び（４）作画位置調整の各調整がそれぞれ実行される。
【００１５】
これらの各調整は、手動又はＣＰＵ自動調整により行なうことができるが、その時に生じる調整パラメータとしては、信号形態、入力信号電圧増幅率、水平同期周波数、水平方向ドット数、画面作画位置がある。
【００１６】
このマルチコンバータ１０では、これら固有の調整パラメータを、ＣＰＵ１５を介して不揮発性メモリ１６に記憶可能になっている。又、この不揮発性メモリ１６に記憶された固有の調整パラメータは、例えば図示しないＬＡＮ等のネットワークを介して外部のパソコン（端末）３へ取込み可能であり、更に該パソコン３から取り込んだ調整パラメータを設定可能となっている。
【００１７】
前記外部パソコン３に対して、前記図１に示したマルチコンバータ１０と同構成の、複数のマルチコンバータ（図示せず）が同様にネットワーク等を介して接続可能になっている。そして、各マルチコンバータ毎に、対応する端末制御装置からの固有の映像信号を汎用映像信号に変換するための調整パラメータを、各不揮発性メモリに記憶可能になっており、同様に前記外部パソコン３に取込んだり、該外部パソコン３から設定したりすることが可能となっている。
【００１８】
従って、本実施形態においては、機種が異なる端末制御装置に対しても、機種毎の水平同期周波数、水平方向ドット数、電圧調整値、画面作画位置、入力信号形態等のそれぞれ固有の調整パラメータを各不揮発性メモリに記憶可能であり、且つ、それらの各情報を外部のパソコン３へ取込み可能となり、、該パソコン３から各不揮発性メモリに設定可能になっている。
【００１９】
これにより、微調整が必要な操業監視用ＣＲＴに対して、調整後のデータ（情報）を機種毎に外部パソコン３に吸い上げることにより、最新の調整データを得ることが可能となり、それを対応する別のコンバータ（図示せず）の内部不揮発性メモリに設定することにより、常に最新の調整データを維持でき、対応機種が増えることにより増大する調整時間の短縮を図ることが可能となる。
【００２０】
なお、調整パラメータは、前記（１）〜（４）の調整により生じる全てでなく、その少なくとも１つあればよく、又、必要に応じて他のパラメータを含んでもよい。
【産業上の利用可能性】
【００２１】
以上説明してきたように、本発明を採用することにより、ＣＲＴ等の映像モニタに出力する映像信号を調整するためのパラメータを、機種毎に容易に微調整することができると共に、復旧時等の再調整も簡単に行うことができる。
【図面の簡単な説明】
【００２２】
【図１】本発明に係る映像変換装置の概要を示すブロック図
【符号の説明】
【００２３】
３…調整用パソコン（外部端末）
１０…マルチアップスキャンコンバータ（映像変換装置）
１１…信号形態変換機能部
１２…入力電圧調整回路
１３…水平同期周波数変換処理部
１４…出力回路
１５…ＣＰＵ
１６…不揮発性メモリ
【図１】
2005284173.tif 000003